(57)【要約】  １つ以上の使い捨て吸収性物品及びパッケージのキットであり、別の実施形態では、使い捨て吸収性物品に適したパッケージが請求され、このパッケージは二次的情報を含み、この二次的情報は、吸収性物品の適用方法を着用者又は介護人に伝え、キットの、及びパッケージ上に示されるこの物品は、少なくとも一次有用指標を含んで、着用者又は介護者がこの物品を適用するのを補助し、物品の適切な使用と最適な性能とを確実にする。
2010506647.tif 000002
【特許請求の範囲】
【請求項１】
ｃ）パッケージ（８）と、
ｄ）伸縮性のあるトップシート（２）、伸縮性のあるバックシート（４）、伸縮性のある吸収性コア（３）及び／又は伸縮性のあるカフからなる群から選択される伸縮性のある構成要素を含む、少なくとも１つの使い捨て吸収性物品（１）と、
を備えた使い捨て吸収性物品キット（９）であって、
前記使い捨て吸収性物品（１）は、介護人若しくはユーザに対し、ｉ）着用者への前記吸収性物品（１）の正確な適用のために、前記介護人若しくは着用者によって前記吸収性物品（１）に引張力が適用されるべきであること、並びに／又はｉｉ）前記物品（１）と、前記着用者の生殖器及び肛門との位置合わせの方法、を伝える少なくとも１つの一次有用指標（１０）を含み、
前記パッケージ（８）は二次的情報（１１）を含み、この二次的情報（１１）は、
ｉ）前記吸収性物品（１）及び前記一次有用指標（１０）若しくはその一部を表し、前記着用者への前記吸収性物品（１）の正確な適用のために、前記着用者若しくは介護人によって前記吸収性物品（１）に引張力を適用することを、前記着用者若しくは介護人に指示するか、並びに／又は
ｉｉ）前記吸収性物品（１）及び前記一次有用指標（１０）若しくはその一部を表し、前記着用者若しくは介護人に、前記着用者の前記生殖器及び／若しくは肛門と、前記一次有用指標（１０）との位置合わせの方法を知らせるか、
のいずれかである、使い捨て吸収性物品キット（９）。
【請求項２】
胴体下部の周囲で着用される少なくとも１つの使い捨て吸収性物品（１）を収容するのに適したパッケージ（８）であって、前記パッケージ（８）は二次的情報（１１）を含み、この二次的情報（１１）は、
ｉ）前記着用者への前記吸収性物品（１）の正確な適用のために、前記パッケージ（８）上で可視であるか部分的に可視である一次有用指標（１０）を含む前記吸収性物品（１）に、前記着用者若しくは介護人によって引張力を適用することを前記着用者若しくは介護人に伝える、並びに／又は
ｉｉ）前記着用者の生殖器及び／若しくは肛門と前記一次有用指標（１０）とを位置合わせする方法を前記着用者若しくは介護人に伝える、
前記使い捨て吸収性物品（１）及び前記一次有用指標（１０）を表す、パッケージ（８）。
【請求項３】
前記パッケージ（８）が、前記二次的情報（１１）を含む外側表面及び／又は挿入物を含む、請求項１又は２に記載のパッケージ（８）又はパッケージ（８）を含むキット（９）。
【請求項４】
前記二次的情報（１１）が、絵、言葉、及び／又は記号を含む、請求項３に記載のキット（９）又はパッケージ（８）。
【請求項５】
前記二次的情報（１１）が、使い捨て吸収性物品（１）若しくはその一部の絵を含み、これは少なくとも１つの一次有用指標（１０）を含み、前記介護人若しくはユーザに、
ｉ）前記着用者への前記吸収性物品（１）の正確な適用のために、前記介護者若しくは着用者によって前記吸収性物品（１）に引張力が適用されるべきであること、並びに／又は
ｉｉ）前記物品（１）と、前記着用者の前記生殖器及び肛門との位置合わせの方法を伝える、
請求項１又は２に記載のキット（９）又はパッケージ（８）。
【請求項６】
前記一次有用指標（１０）及び／又は前記二次的情報（１１）が、前記着用者又は介護人に、前記引張力の必要とされる適用の方向を伝える、請求項１又は２に記載のキット（９）又はパッケージ（８）。
【請求項７】
前記一次有用指標（１０）が、前記吸収性物品（１）の一部にわたって長手方向に延びる、１つ以上の対照的な線分又はバンド又は記号を含み、前記二次的情報（１１）が、前記介護者又は着用者に、前記有用指標（１０）と身体の一部とを位置合わせすること、及び前記物品（１）の前記長手方向と平行な力線に沿って引張力を適用することを知らせる、請求項１又は２に記載のキット又はパッケージ。
【請求項８】
前記吸収性物品（１）が、バックシート（４）及び伸縮性のある弾性のトップシート（２）を含み、前記トップシート（２）が少なくとも１つの開口部（５）を含み、開口部（５）は、糞便を受容し、前記トップシート（２）の下部の空間に糞便を通すのに好適となっており、前記トップシート（２）が、前記一次有用指標（１０）を含み、前記一次有用指標（１０）が、前記ユーザ又は介護人に、前記開口部（５）と、前記生殖器及び／又は肛門とを位置合わせすること、並びに引張力を適用することを伝える、請求項１に記載のキット（９）又は請求項２に記載のパッケージ（８）。
【請求項９】
前記吸収性物品（１）が、伸縮性のある弾性のトップシート（２）を有し、５００ｍｍ／分のクランプ速度を使用した２周期ヒステリシスに基づいて、
１．１Ｎ未満の第１負荷力により１．５Ｌｔ、２．１Ｎ未満の第１負荷力により３．０Ｌｔ、及び３．０Ｎ未満の第１負荷力により４．５Ｌｔ、並びに４．５Ｌｔで０．９Ｎ超の第２負荷軽減力、３．０Ｌｔで０．５超の第２負荷軽減力、及び１．５Ｌｔで０．１Ｎ超の第２負荷軽減力である弾性特性を有する、請求項１に記載のキット（９）。
【請求項１０】
前記一次有用指標（１０）が、前記伸縮性のある構成要素に適用された、湾曲を有する１つ以上の対照的な線分、好ましくは対照的に着色された線分を含む、請求項１に記載のキット（９）又は請求項２に記載のパッケージ（８）。
【請求項１１】
前記吸収性物品（１）が、弾性のあるトップシート（２）を含み、これは横方向ｘ軸、長手方向ｙ軸、横方向前縁部（２５）、横方向後縁部（２６）、及び長手方向側縁部（３０）、前側領域（２０）及び後側領域（２４）を有し、前記トップシート（２）は、前記前側領域（２０）に、前記有用指標（１０）又はその一部を含み、それは一対の線分を含み、一対の線分は、ｙ軸において互いに鏡像であり、横方向ｘ軸からトップシート（２）の横方向前縁部（２５）に向かって若しくは到るまで、及び／又は曲がってそれぞれ前記トップシート（２）の対向する長手方向側縁部（３０）に到るまで若しくは向かって延びる、請求項１に記載のキット（９）。
【請求項１２】
前記吸収性物品（１）が、バックシート（４）、吸収性コア（３）、及びトップシート（２）を含み、トップシート（２）は、トップシート（２）と前記吸収性コア（３）との間の空間に通じる長手方向開口部（５）を備え、前記トップシート（２）が、前記開口部（５）又はその一部に沿って、一次有用指標（１０）を含み、前記吸収性コア（３）が、一次有用指標（１０）を含む、請求項１に記載のキット（９）。
【請求項１３】
前記使い捨て吸収性物品（１）が、乳児若しくは幼児用おむつ（１）又は成人用失禁製品である、請求項１に記載のキット（９）又は請求項２に記載のパッケージ（８）。
【請求項１４】
前記二次的情報（１１）が、前記一次有用指標（１０）又はその一部を含む、伸張して開いた使い捨て吸収性物品（１）のトップシート（２）上に配置される、乳児若しくは幼児の絵、又はその一部を含む、請求項１又は２に記載のキット（９）又はパッケージ（８）。
【請求項１５】
前記吸収性物品（１）が、伸縮性のトップシート（２）及び前側領域（２０）を有し、前記二次的情報（１１）が、一連の絵、又は図形を含み、それは、前記介護人に、
ｉ）前記吸収性物品（１）を部分的に又は完全に伸張した状態まで引っ張ること、
及び、工程ｉ）の前に、同時に、又は次に、
ｉｉ）前記物品（１）又は伸張した物品（１）の前記トップシート（２）上に、正確に位置合わせして乳児又は幼児を配置すること、
及びｉｉ）又はｉ）の次に、
ｉｉｉ）前記乳児又は幼児の腹部の部分にわたって前記おむつ（１）の前記前側領域（２０）を配置し、前記物品（１）を締結すること、
を伝える、請求項１又は２に記載のキット（９）又はパッケージ（８）。
【請求項１６】
前記吸収性物品（１）が、伸縮性のトップシート（２）及び前側領域（２０）、締結要素を有し、前記二次的情報（１１）が、一連の絵又は図形を含み、それは、前記介護人に、
ｉ）前記吸収性物品（１）を部分的に又は完全に伸張した状態まで引っ張ること、
及び、工程ｉ）の前に、同時に、又は次に、
ｉｉ）前記物品（１）又は伸張した物品（１）の前記トップシート（２）上に、前記物品上の前記一次有用指標（１０）と正確に位置合わせして、乳児又は幼児を配置すること、
ｉｉ）前記乳児又は幼児の腹部にわたって完全に伸張した状態まで前記物品（１）を更に引っ張ること、
ｉｖ）前記物品（１）を完全に伸張した状態に維持しながら、前記締結要素を閉じること、
を伝える、請求項１に記載のキット（９）又はパッケージ（８）。
【発明の詳細な説明】
【技術分野】
【０００１】
本発明は、１つ以上の吸収性物品とパッケージとのキット、及び別の実施形態では、使い捨て吸収性物品に適したパッケージに関し、このパッケージは二次的情報を含み、この二次的情報は、吸収性物品の適用方法を着用者又は介護人に伝え、キットの、及びパッケージ上に示されるこの物品は、少なくとも一次有用指標を含んで、着用者又は介護者がこの物品を適用するのを補助し、物品の適切な使用と最適な性能とを確実にする。
【背景技術】
【０００２】
おむつ、及び成人用失禁製品などの多くの使い捨て物品は、レッグカフ及びバリアカフなどの、長手方向への伸張をもたらす、弾性の伸縮性のある構成要素を含む。別の実施例は、糞便を受容し、その下部の空間にこれを通す、大きな開口部を備えるトップシートを備えるおむつである。
【０００３】
特に弾性の構成要素が、物品を著しく収縮させることができるようなものである場合、このような吸収性物品の適用は困難でありうることを、発明者らは見出した。このような構成要素の弾性力が非常に強い場合、物品を十分に伸張させることは、同時にそれを位置付けようとしているとき、困難であることがあり、及び／又は伸張した物品は多くの場合、折り畳まるか、又はより伸張の少ない状態へと収縮することもまた見出された。物品は多くの場合、不正確に、若しくは不完全に伸張され、又は弾性の構成要素若しくは物品全体が不正確に適用されることもまた見出された。これは、使用中の漏れ、及び不快感につながることがある。
【０００４】
同時係属中の欧州特許出願第ＥＰ１２７９３５７−Ａ号は、適用中に物品を適切な位置に固定するのを助け、したがって介護人による適用を容易にする、適用補助具の使用を提案している。しかしながら、このような補助具は、介護人にとっての複雑性を増す可能性があり、依然として正確な物品の適用、及び漏れ又は不快感の回避を保証しない。
【先行技術文献】
【特許文献】
【０００５】
【特許文献１】欧州特許出願第ＥＰ１２７９３５７−Ａ号
【発明の概要】
【発明が解決しようとする課題】
【０００６】
このような、高度に伸縮性のある物品のパッケージが、伸縮性のある物品を伸張させる方法、及び／又は、物品と、例えば、ユーザの生殖器及び肛門と位置合わせする方法の指示を含む場合、並びに吸収性物品がまた、この情報を伝える有用指標を含む場合、この有用指標がまた、パッケージに含まれる二次的情報に包含される場合、着用者又は介護人は物品を正確に適用し、物品は着用するのが心地よく、最適に機能することを、発明者らは見出した。パッケージの情報はまた、使い捨て吸収性物品、及びその有用指標を示すので、着用者又は介護人は、パッケージの指示を再適用し、物品を正確に適用する、即ち、物品を正確に伸張させ、及び／又は物品と例えば生殖器及び／又は肛門とを正確に位置合わせすることができる。
【課題を解決するための手段】
【０００７】
本発明の第１の実施形態は、
ａ）パッケージ（８）と、
ｂ）伸縮性のあるトップシート（２）、伸縮性のあるバックシート（４）、伸縮性のある吸収性コア（３）及び／又は伸縮性のあるカフからなる群から選択される伸縮性のある構成要素を含む、少なくとも１つの使い捨て吸収性物品（１）と、を備えた使い捨て吸収性物品キット（９）に関し、
前記使い捨て吸収性物品（１）は、介護人若しくはユーザに対し、ｉ）着用者への吸収性物品（１）の正確な適用のために、介護人若しくは着用者によって吸収性物品（１）に引張力が適用されるべきであること、並びに／又はｉｉ）物品（１）と、着用者の生殖器及び肛門との位置合わせの方法、を伝える少なくとも１つの一次有用指標（１０）を含み、
パッケージ（８）は、二次的情報（１１）を含み、この二次的情報（１１）は、
ｉ）吸収性物品（１）及び一次有用指標（１０）若しくはその一部を表し、着用者への吸収性物品（１）の正確な適用のために、着用者若しくは介護人によって吸収性物品（１）に引張力を適用することを、着用者若しくは介護人に指示するか、並びに／又はｉｉ）吸収性物品（１）及び前記一次有用指標（１０）若しくはその一部を表し、着用者若しくは介護人に、着用者の生殖器及び／若しくは肛門と、前記一次有用指標（１０）との位置合わせの方法を知らせるかのいずれかである。
【０００８】
本発明の別の実施形態は、胴体下部の周囲で着用される少なくとも１つの使い捨て吸収性物品（１）を収容するのに適したパッケージ（８）に関し、このパッケージ（８）は二次的情報（１１）を含み、この二次的情報（１１）は、ｉ）着用者への前記吸収性物品（１）の正確な適用のために、パッケージ（８）上で可視であるか部分的に可視である一次有用指標（１０）を含む吸収性物品（１）に、着用者若しくは介護人によって引張力を適用することを着用者若しくは介護人に伝える、並びに／又はｉｉ）着用者の生殖器及び／若しくは肛門と前記一次有用指標（１０）とを位置合わせする方法を着用者若しくは介護人に伝える、前記使い捨て吸収性物品（１）及び前記一次有用指標（１０）を表す。
【０００９】
キットに含まれ、パッケージの二次的情報に示される、本明細書における好ましい物品は、好ましくは少なくとも１つの大きな開口部を有する、伸縮性のある、好ましくは弾性のトップシートを含む。
【図面の簡単な説明】
【００１０】
【図１】本発明のキット（９）の好ましいおむつ（１）の斜視図。
【図２】部分的に収縮した（即ち、部分的に伸張した）平坦な状態の、本発明のキット（９）の好ましいおむつ（１）の平面図。
【図３】別の一次有用指標を含む、本発明のキット（９）の別の好ましいおむつ（１）の平面図。
【図４】完全に伸張された状態の、本発明のキット（９）の図２の好ましいおむつ（１）の平面図。
【図５】吸収性物品（１）を備え、二次的情報（１１）を含む、パッケージ（８）、又はキット（９）。
【図６】本明細書によるこのパッケージ（８）において、又はそれと共に使用できるか、あるいは本明細書によるキット（９）のこのパッケージ（８）において、又はそれと共に使用できる、二次的情報（１１）を有する別個のシート。
【発明を実施するための形態】
【００１１】
使い捨て吸収性物品（１）
本明細書において、使い捨て吸収性物品（１）は、典型的に、着用者によって胴体下部周囲で着用される。この吸収性物品（１）は、トレーニング又はプルオンパンツ、及び成人用失禁物品を包含する、おむつ（本明細書ではまた、（１）とも称される）を包含し、好ましくはこの物品（１）は、例えば図１〜４に示されるように、着用者の胴体周囲の締結を可能にする締結具を有するおむつ又は成人用失禁物品である。
【００１２】
本明細書において、物品（１）は、好ましくは、伸縮性のあるトップシート（２）、伸縮性のあるバックシート（４）、伸縮性のある吸収性コア（３）、並びに／あるいは、肛門カフ、レッグカフ及び／又はバリアカフを包含する、伸縮性のあるカフからなる群から選択される、伸縮性のある構成要素を含む。
【００１３】
伸縮性のある構成要素は、これが少なくとも１４０％、好ましくは少なくとも１６０％、又は少なくとも１８０％、又は更に少なくとも２００％伸張することができるようなものである。好ましくは、伸縮性のある構成要素は、弾力性があるか、又は弾性であり、上述のように伸張することができ、これは典型的には、一度完全に伸張した後、もとの寸法の１２０％以下に収縮する。
【００１４】
伸縮性のある、及び好ましくは弾性の構成要素は、好ましくは物品（１）に、少なくとも伸縮、及び弾性を、実質的に長手方向（Ｙ軸に平行、又はＹ軸に沿って）にもたらす。
【００１５】
一実施形態では、物品（１）は、１つ以上の弾性のレッグカフ及び／又は１つ以上の弾性のバリアカフを含む。このような組はそれぞれ、物品（１）の長手方向側部のいずれかに沿って、及び／又はその近くに位置付けられる２つのカフを含み、典型的には長手方向に延びる。弾性のカフは、好ましくは互いに対向しており、これらは典型的にはＹ軸方向で互いに鏡像を成す。このようなカフは、例えば、バックシート（４）、トップシート、又はコア（３）に取り付けられてよい。これらは、トップシート、コア（３）及び／又はバックシート（４）の平面から、例えばこれに直交するなどして、構造を得ることが可能であることがある。レッグカフはまた、米国特許第３，８６０，００３号、同第４，８０８，１７８号、及び同第４，９０９号、同第４，６９５，２７８号、並びに同第４，７９５，４５４号に記載されるように、レッグバンド、サイドフラップ、又は弾性カフと称されてよい。
【００１６】
一実施形態では、使い捨て吸収性物品（１）は、１つ以上のシート、又は１つ以上の積層シートから形成され、典型的には、例えば弾性シート及び／又は少なくとも１つの弾性バンド若しくはストランドなどの弾性材料を含む、伸縮性のあるトップシート（２）を含む。好ましくは、これは典型的には少なくとも一対の対向する弾性バンド又はストランドを含み、これは、好ましくはＹ軸おいて互いの鏡像である。弾性のトップシート（２）は、典型的には、少なくとも物品（１）の長手方向に弾性を有する。トップシート（２）は、糞便を受容し、このトップシート（２）の下部の空間にこれを通すのに十分なほど大きな、少なくとも１つの開口部（５）を有する。糞便物質の受容のための単一の開口部（５）が好ましいことがある。開口部（５）は、スリット開口部（５）の形状であってよい。開口部（５）は、好ましくはトップシート（２）の前側領域（２０）（の一部）（使用中に、ユーザの前側に向く）、及びトップシート（２）の後側領域（２４）（の一部）に存在する。好ましくは、トップシート（２）は、スリット開口部（５）を有し、これは、トップシート（２）及びおむつ（１）の長手方向軸に実質的に平行な長手方向寸法（長さ）を有する。好ましくは、トップシート（２）は、少なくとも吸収性コア（３）の全長にわたって存在する。好ましいおむつ（１）が、図１〜４に示される。
【００１７】
好ましくは、トップシート（２）は、一体型シート、又は積層シートであり、以下に記載され図に示される生殖器カバーシート（６）がここに任意に取り付けられる。
【００１８】
（伸張した状態において）トップシート（２）の開口部（５）が、（完全に、平坦で伸張した状態で）開口部（５）の長さ（又は開口部の全長）の２０％〜４０％、又はより好ましくは２０％〜３０％が、トップシート（２）の横断軸からトップシート（２）の前縁部（２５）に向かって延び、残りの割合が、トップシート（２）の後縁部（２６）に向かって延びるように構成されるのが好ましい。
【００１９】
開口部（５）の寸法及び正確な形状は、トップシート（２）及び／又は吸収性物品（１）の大きさに応じて変化することができる。例えば、好ましい実施形態では、開口部（５）は、実質的に平行な長手方向側縁部（３１）を備えるスリット開口部（５）の形態であり、これが、（本明細書で以下に説明されるような）Ｖ形状又は丸み付きＶ形状の前縁部及び後縁部により前側及び後側で接続される。
【００２０】
スリット開口部（５）の最大長さは、例えば（完全に伸張した、平坦な状態で）吸収性物品（１）の全長Ｌの、４０％〜９０％、又はより好ましくは５０％〜８０％、又は更により好ましくは、６０％〜７０％であってよい。
【００２１】
本明細書において、開口部（５）の平均幅は、完全に伸張した平坦な状態で、好ましくは、トップシート（２）（開口部（５）の幅を包含する）の平均幅の、５％〜３０％、又はより好ましくは１０％〜２５％である。
【００２２】
本発明の一実施形態では、上述のように、１つ以上の開口部を備えるトップシート（２）を備える吸収性物品（１）に関し、吸収性物品（１）はまた、トップシート（２）の開口部（５）の下、中、又は上、典型的には、使用中に生殖器とごく近接する開口部（５）の部分、即ち、開口部（５）の前側領域（２０）にのみ存在する、生殖器カバーシート（６）を含んでもよい。好ましくは、開口部（５）の上、中、又は下に存在する生殖器カバーシートの部分の最大長さは、（完全に伸張した平坦な状態で）開口部（５）の最大長さの１０％〜５０％、好ましくは１０％〜３０％、又はより好ましくは１３％〜２８％、又は更により好ましくは１７％〜２７％である。換言すれば、開口部（５）の最大長さの、最大５０％が、生殖器カバーシート（６）の最も長い部分によって「覆われ」るが、開口部（５）の最大長さの少なくとも１０％が生殖器カバーシート（６）の最も長い部分によって覆われる。
【００２３】
例えば、図４に示されるように、生殖器カバーシートは、開口部（５）の上、中、又は下に実質的に横方向の縁部を有してよく、これは直線状ではなく、好ましくは曲線状、又はＶ型（弓型）であり、曲線状縁部又はＶ型縁部の残りの部分よりも物品（１）の前側に近い曲線状縁部又はＶ型縁部の中心点を有している。このとき、この中心点から開口部（５）の前までの生殖器カバーシート（６）の部分の長さは、好ましくは、開口部（５）の最大長さの１０％〜３０％、より好ましくは１５％〜２５％、又は更に２０％までである。
【００２４】
別の実施形態では、物品（１）は、少なくとも２つのカフ、及びこのカフに取り付けられ、又はこれを覆って配置され、物品（１）の前側領域（２０）の下のコア（３）の一部を覆う生殖器カバーシート（６）を有する。
【００２５】
上述の第１の実施形態では、生殖器カバーシート（６）は、トップシート（２）の下部、及びトップシート（２）の開口部（５）の下、したがってトップシート（２）と吸収性コア（３）との間に存在し、このとき、生殖器カバーシート（６）は、典型的には、下部の層、例えば吸収性コア（３）に取り付けられずに、トップシート（２）と吸収性コア（３）との間、及び生殖器カバーシート（６）と吸収性コア（３）との間に、糞便物質のための最大の空間を作ることを確実にする。
【００２６】
一実施形態では、生殖器カバーシート（６）は、長手方向、又は横方向のいずれか、又は両方において、伸張可能であり、その結果、生殖器カバーシート（６）への生殖器の圧力が、生殖器カバーシート（６）を伸張させ、生殖器の周囲にポケットを形成する。生殖器カバーシート（６）は、長手方向、及び／又は横方向において、弾性的に伸張可能であってよく、又は好ましくは生殖器カバーシート（６）は、非弾性的に伸張可能であってよい。
【００２７】
別の実施形態では、生殖器カバーシート（６）は、トップシート（２）の一体部分であってよく、これは、物品（１）の前側にポケットを形成して、生殖器を受容してもよい。このとき、この一体型生殖器カバーシート（６）は、典型的には尿透過性、及び／又は親水性であり、一方で生殖器のためのポケットを形成しないトップシート（２）の残りの部分は、尿不透過性及び／又は疎水性であってよい。
【００２８】
一次有用指標（１０）は、典型的には、伸縮性のある物品（１）の構成要素に適用されるが、これは更に、又は別の方法として、物品（１）の伸縮性のない構成要素に適用されてもよい。例えば、物品（１）が、伸縮性のあるトップシート（２）及び／又は伸縮性のあるカフを含む場合、一次有用指標（９）は、伸縮性のないコア又はバックシートに適用されてもよい。
【００２９】
これは、使用中、又は適用中に、ユーザ又は介護人に見えるように、表面に適用される。これは弾性材料（例えば、バンド、ストランド）が存在する弾性の構成要素の一部又は更には弾性材料上に、適用されるか又は部分的に適用されてもよい。
【００３０】
物品（１）が少なくとも１つの開口部を備えた弾性のトップシート（２）を含む好ましい実施形態では、本明細書のトップシート（２）の弾性材料は、少なくとも一対の弾性バンド又はストランドの形態であってよく、一方が、トップシート（２）のこの開口部（５）の長手方向側部のいずれかの上にあり、好ましくは開口部のこの長手方向側縁部（３１）から、トップシート（２）の前縁部（２５）及び／若しくは後縁部（２６）に向かって、又はこれに到るまで延びる。したがって、弾性バンド又はストランドは、好ましくは、開口部（５）よりも長い。好ましくは、２つの対向する主要な弾性体の前端部は、互いに離れて曲がり（トップシート（２）の平面で）、その結果、２つの対向する弾性体の対向する前端部分の終縁部の間の距離は、２つの対向する弾性体の中心部の間の距離よりも大きく、同等に、２つの対向する弾性体の対向する後端部の終縁部の距離は、２つの対向する弾性体の中心部分の間の距離よりも大きい。
【００３１】
このとき、弾性バンド又はストランドの各前端部は、典型的には、弾性バンド又はストランドの中心を通る長手方向線と角度を有し、トップシート（２）の長手方向軸に平行であり、この角度は、１０°〜４０°の間であり、又は好ましくは１７°〜３５°の間であり、更により好ましくは２０°〜３５°の間である。
【００３２】
このとき、弾性バンド又はストランドそれぞれの後端部も、好ましくは弾性バンド又はストランドの中心を通る長手方向線と角度を有し、トップシート（２）の長手方向軸に平行であり、この角度は１０°〜４０°の間、又は好ましくは１７°〜３５°の間、更により好ましくは２０°〜３５°の間である。
【００３３】
一実施形態では、本明細書における吸収性物品（１）は、弾性のトップシート（２）を有し、これは、同時係属中の欧州特許出願第０１１１７６７０．８号に記載され、そこに提示される方法によって決定される、特定の力特性を有する。一実施形態では、物品（１）の弾性のトップシート（２）は、上述の同時係属出願に記載の方法によって５００ｍｍ／分のクランプ速度を使用して測定される、２周期ヒステリシスに基づく弾性特性を有し、それは以下の通りである。
【００３４】
１．１Ｎ未満の第１負荷力により１．５Ｌｔ、２．１Ｎ未満の第１負荷力により３．０Ｌｔ、及び３．０Ｎ未満の第１負荷力により４．５Ｌｔ、並びに４．５Ｌｔで０．９Ｎ超の第２負荷軽減力、３．０Ｌｔで０．５超の第２負荷軽減力、及び１．５Ｌｔで０．１Ｎ超の第２負荷軽減力。
【００３５】
より好ましくは、本明細書で有用な弾性のトップシート（２）は、０．６Ｎ未満の第１負荷力により１．５Ｌｔ、１．１Ｎ未満の第１負荷力により３．０Ｌｔ、及び１．５Ｎ未満の第１負荷力により４．５Ｌｔ、並びに４．５Ｌｔで０．９Ｎ超の第２負荷軽減力、３．０Ｌｔで０．５Ｎ超の第２負荷軽減力、及び１．５Ｌｔで０．１Ｎ超の第２負荷軽減力である。
【００３６】
本明細書の好ましい弾性のトップシート（２）の好ましい特性は、以下の表の全ての長さにおける第１負荷力及び第２負荷力によって定義される（５００ｍｍ／分のクランプ速度を有する２周期ヒステリシスについて、４．５Ｌｔ又は０．８Ｌｓのどちらか小さい方まで、以下に記述するように拡張する）。
【表１】
2010506647.tif 000003
＊これらの値は、以下の試験方法において説明するように、０．８Ｌｔｓ未満である限り意義がある。
【００３７】
一実施形態では、物品（１）は、物品（１）の０．５Ｌｓよりも低いＬｃを有する。好ましくは、物品（１）のＬｃは、物品（１）の０．４５Ｌｓ未満、又は更に０．４Ｌｓ未満、又は更に０．３５Ｌｓ未満、又は更に０．３Ｌｓ未満である。
【００３８】
また、本明細書の物品（１）の長さ（の一部）にわたって延びるカフなど、他の弾性の構成要素も、上述のような弾性特性を有してよい。
【００３９】
物品（１）のトップシート（２）などの弾性の構成要素を作製するために、本明細書において使用される好ましい弾性材料としては、トレデガー（Tredegar）から入手可能なＶＦＥ−ＣＤ、及びフルフレックス（Fulflex）（アイルランド、リマリック（Limerick,Ireland））から入手可能なＬ−８６、又は好ましくは、これもフルフレックス（Fulflex）から入手可能なＬ−８９などの材料が挙げられる。
【００４０】
本明細書において有用な弾性材料は、例えば、少なくとも２０ミクロン、より好ましくは少なくとも４０ミクロン、又は更に少なくとも６０ミクロン、典型的には、約３００ミクロンまで、又は更に２００ミクロンまで、又は更に１５０ミクロンまでの厚さ（例えば、ゲージ）を有してよい。非常に好ましい材料は、約７０〜１００ミクロンの厚さを有する。
【００４１】
物品（１）は、いかなる既知の方法で作製されてもよい。弾性の構成要素はまた、例えば伸張した状態の弾性材料を、非弾性材料に適用する工程を伴う、いかなる既知の方法によって作製されてもよい。
【００４２】
本明細書の好ましいトップシート（２）は、（着用者の皮膚を、おむつ（１）の残りの部分に収容されている液体から隔離するために）疎水性材料のシート、又は、例えば疎水性表面コーティングによって、疎水性となるように処理されたシートで作製されてよい。好ましい疎水性表面コーティングは、例えば同時係属中の米国特許出願第６０／５４３，７８５号（２００４年２月１１日出願）に記載されている。好ましくは、疎水性表面コーティングは、１つ以上のシリコーンポリマー又はフッ素化ポリマーを含む。
【００４３】
好適なトップシート（２）は、天然繊維（例えば木質繊維若しくは木綿繊維）、又は合成繊維（例えばポリエステル、ポリエチレン、及び／若しくはポリプロピレンの繊維）、又は天然繊維と合成繊維との組み合わせの、織布ウェブあるいは不織布ウェブを包含する、広範な材料から製造されてよい。トップシート（２）に繊維が包含される場合、その繊維は、当該技術分野で既知のように、例えば、スパンボンド、カード、湿式、メルトブロウン、水流交絡、又は別の方法で加工されてよい。非常に好ましいのは、スパンボンド層（Ｓ）とメルトブロウン層（Ｍ）を含んで、ウェブの表面がスパンボンド層で形成されたウェブである。好ましいのは、比較的高い坪量、例えば、２５ｇ／ｍ２（ｇｓｍ）超、例えば、３４ｇｓｍのＳＭＭＳ（１２ｇｓｍのメルトブロウン及び５ｇｓｍのスパンボンド）、３４ｇｓｍのＳＭＭＳ（１０ｇｓｍのメルトブロウン及び７ｇｓｍのスパンボンド）、３０ｇｓｍのＳＭＭＳ（１０ｇｓｍのメルトブロウン及び５ｇｓｍのスパンボンド）、３０ｇｓｍのＳＭＭＳ（８ｇｓｍのメルトブロウン及び７ｇｓｍのスパンボンド）、３４ｇｓｍのＳＭＳ（２０ｇｓｍのメルトブロウン及び７ｇｓｍのスパンボンド）を有するようなウェブ、又は例えば、上述した、１７ｇｓｍのＳＭＭＳを２層含むウェブである。
【００４４】
トップシート（２）のいずれの部分も、当該技術分野において既知であるローション又は減摩粉末でコーティングされてよい。
【００４５】
吸収性物品（１）は、吸収性コア（３）を含んでよく、これは上述のトップシート（２）の下部、又は、存在する場合は、有孔（に形成された）フィルムなどの有孔シートであってよい、二次トップシートの下部に位置付けられてよい。
【００４６】
吸収性物品（１）はまた、当該技術分野において既知の、典型的には液体不透過性のバックシート（４）を含んでよい。好適なバックシート（４）の材料は、蒸気をおむつ（１）から逃す一方で、依然として排出物がバックシート（４）を通過するのを防ぐ、典型的には通気性の材料を含む。好適なバックシート（４）フィルムは、インディアナ州テレホート（Terre Haute）のトレデガー・インダストリーズ社（Tredegar Industries Inc.）によって製造され、Ｘ１５３０６、Ｘ１０９６２、及びＸ１０９６４の商標名で販売されているものを包含する。バックシート（４）、又はそのいかなる部分も、１つ以上の方向に、弾性的に伸張可能であってよい。
【００４７】
バックシート（４）は、当該技術分野において既知の任意の取り付け手段によって、トップシート（２）、二次トップシート、吸収性コア（３）、又はおむつ（１）の他の任意の要素に、取り付けられるか、又は接合されてよい。
【００４８】
トップシート（２）又は二次トップシートとバックシート（４）とを取り付けるための取り付け手段としては、例えば、米国特許第４，５７３，９８６号に開示されているような、圧力接着、又は例えば、接着剤の均一な連続層、接着剤の模様付きの層、又は接着剤の別個の線、螺旋、若しくは点の配列が挙げられる。満足のいくものであることが判明した接着剤は、ミネソタ州セントポールのＨ．Ｂ．フラー社（H.B.Fuller Company）によって製造され、ＨＬ−１６２０及びＨＬ−１３５８−ＸＺＰとして市販されている。あるいは、取り付け手段は、熱接着、圧力接着、超音波接着、動的機械的接着、又は当該技術分野で既知の他のいかなる好適な取り付け手段、若しくはこれら取り付け手段の組み合わせを含んでもよい。
【００４９】
吸収性コア（３）は、粉砕木材パルプ、縮みセルロース詰め物（creped cellulose wadding）；コフォームを包含するメルトブローポリマー；化学的に剛化、変性、又は架橋されたセルロース性繊維；ティッシュラップ及びティッシュラミネートを包含するティッシュ；吸収性フォーム；吸収性スポンジ；超吸収性ポリマー；吸収性ゲル材料；又はその他の既知の吸収性材料若しくは材料の組み合わせなど、一般的に圧縮性で、適合性があり、着用者の皮膚に対して刺激がなく、尿を吸収し保持できる、いかなる吸収性材料を含んでもよく、吸収性ゲル材料の吸収性コア（３）容積（例えばコア（３）ラップ、又はカバーシートを除く）の８０重量％超を含む吸収性貯蔵層を有し、パルプなどの吸収性セルロース繊維を５％未満含むか、又は好ましくは吸収性セルロース繊維のない吸収性コア（３）が好ましい可能性がある。
【００５０】
吸収性物品（１）は、また、トップシート（２）若しくは二次トップシートと、吸収性コア（３）との間に配置された、身体排泄物、典型的には糞便物質を受け入れ、及び／又は固定化することができる副層を包含してもよい。副層として使用するのに適した材料は、大型連続気泡発泡体（large cell open foams）、マクロ孔質耐圧縮性嵩高不織布（macroporous compression resistant non woven highlofts）、大型微粒子形態の連続気泡及び閉塞気泡発泡体（マクロ孔質及び／若しくはミクロ孔質）、嵩高不織布、ポリオレフィン、ポリスチレン、ポリウレタン発泡体又は粒子、垂直に配向された、好ましくはループ状の繊維のストランドを多数含む構造、あるいは好ましくは生殖器カバーシート（６）に関して上述したような有孔成形フィルムを包含してもよい。（本明細書で使用するとき、用語「ミクロ孔質」は、毛管現象によって流体を移送することができ、但し５０ミクロン超の平均孔径を有する材料を指す。用語「マクロ孔質」は、流体を毛管移送するには大き過ぎる細孔を有し、一般に直径が約０．５ｍｍ（平均）を超える細孔を有し、より具体的には直径が約１．０ｍｍ（平均）を超えるが典型的には１０ｍｍ未満、又は更には６ｍｍ（平均）未満の細孔を有する材料を指す。
【００５１】
パッケージ（８）を備えるキット（９）、及びパッケージ（８）
本明細書のパッケージ（８）は、少なくとも１つの使い捨て吸収性物品（１）及び典型的には多数の物品（１）、好ましくは少なくとも１０個の物品（１）を保持するのに適したいかなる種類のパッケージ（８）であってもよい。パッケージ（８）は、図５に示されるように、この物品（１）の周囲に巻かれるか、折り畳まれる、プラスチック又は紙材料から作製されてよい。パッケージ（８）は、物品を加える前に、少なくとも部分的に、又は（閉鎖部を除いて）完全に形成される容器であってよく、これは、例えば正方形又は矩形の（厚紙）箱など、いかなる形状を有してもよい。
【００５２】
これは、介護人又はユーザに見える外側表面を含む。一実施形態では、本明細書に記載される二次的情報（１１）は、図５に示されるように、パッケージ（８）の外側表面上に存在する。別の実施形態では、パッケージ（８）は、追加の、好ましくは別個の手段又は品目、例えばシート、即ちパッケージ（８）に挿入され、又は（取り外し可能に）パッケージ（８）に取り付けられ、又はパッケージ（８）と共に提供され、本明細書に記載のこの二次的情報（１１）を含む、シート、例えば、図６に示される追加の挿入シートなどを含む。
【００５３】
本明細書のキット（９）は、パッケージ（８）と、このパッケージ（８）に含まれる少なくとも１つの使い捨て吸収性物品（１）とを備え、パッケージ（８）及び物品（１）は、上述の通りである。
【００５４】
一次有用指標（１０）
本明細書の吸収性物品（１）は、少なくとも１つの一次有用指標（１０）を含み、これは（例えば、成人用失禁物品（１）の）着用者、又は（おむつ（１）を適用する乳児若しくは幼児の）介護人に、
ｉ）着用者への吸収性物品（１）の正確な適用のために、介護人若しくは着用者によって吸収性物品（１）に引張力が適用されるべきであり、通常どの方向に力が適用される必要があるか（例えば、弾性構成要素、例えば弾性のトップシートの力の力線と平行）、並びに／又は
ｉｉ）物品（１）と、着用者の生殖器及び／若しくは肛門との正確な位置合わせ
を伝える。
【００５５】
一実施形態では、有用指標（１０）は、物品（１）の適用前、又は適用中に可視である、伸縮性のある、例えば弾性の、物品（１）の構成要素上、例えばその表面上に存在する。
【００５６】
有用指標（１０）は、いかなる図形、マーク、記号、模様、又は絵であってもよい。
【００５７】
好ましくは、有用指標は、対照的な指標（１０）の形態であり、指標（１０）を含む周囲の構成要素と対照的であり、例えば、対照的な色又は質感を有する。
【００５８】
例えば、物品（１）上（物品（１）の１つ以上の構成要素上）に印刷されるなどして適用される、着色された指標（１０）が好ましい。
【００５９】
本明細書において記載されるカフ又はトップシート（２）など、伸縮性のある構成要素上の１つ以上の対照的な線分が好ましい。
【００６０】
好ましい実施形態では、吸収性物品（１）は、前側領域（２０）、中央領域（２１）、及び後側領域（２４）（それぞれは、表面でそのバックシート上に平たく置かれた、収縮した吸収性物品（１）の全長の３３．３％を有する）を有し、これは、この前側領域（２０）に、１つ以上の有用指標を含み、これは着用者又は介護人に、ほぼ長手方向に沿って引張力が適用されるべきであることを、例えば介護人又は着用者が適用すべき力の力線と平行な１つ以上の線分を含むことによって伝える。例えば、図３及び４に示されるように、有用指標（１０）は、少なくとも前側領域（２０）に存在し、物品（１）の前縁部（２５）に到るまで又はこれに向かって、あるいは部分的に物品（１）の前縁部（２５）に向かって、及び部分的に側縁部（３０）に向かって延び、又は指し示し、引張力が適用されるべき方向を指示する、１つ以上の線分及び／又は矢印を含んでよい。
【００６１】
一実施形態では、有用指標（１０）は、着用者又は介護人に、正確な適用が達成されるように、例えば、肛門及び／又は生殖器の正確な位置合わせが達成されるように、ユーザ（着用者、例えば乳児）を位置付ける方法を伝える。
【００６２】
それに加え、トップシート（２）及び／又は二次トップシートは、着用者の臀部を配置する場所、及び／又は生殖器を配置する場所を補助するため、並びに／あるいは、臀部又は生殖器と物品との、例えばトップシート（２）に存在し得る開口部（５）との位置合わせを補助するために有用指標（１０）を有してよい。この後者の指標は、引張力の適用を指示する上述の指標の一部であってよく、又は別個の指標であってもよい。
【００６３】
物品（１）が、例えばトップシート（２）を含み、図１〜４に見ることができるように、１つ以上、典型的には１つの開口部を備え、この開口部の各長手方向側部に沿って、少なくとも実質的に長手方向に延びる、対向する弾性バンド又はストランドを備え、後側領域（２４）の開口部（５）の一部の周囲、又はこれに沿って、及び開口部（５）の長手方向縁部（３１）に沿って、物品（１）の前縁部（２５）に向かって延びる対照的な線分などの有用指標（１０）を含んで、適用されるべき必要な力の方向を指示し、開口部（５）を示し、これによって、これらが生殖器及び／又は肛門と位置合わせできることが好ましいことがある。
【００６４】
有用指標（１０）は、例えば図３に示されるように、力の方向を指示するために、１つ以上の矢印を更に含んでもよい。
【００６５】
有用指標（１０）はまた、開口部（５）の長手方向縁部（３１）をよりよく示すために、開口部（５）又はその一部の周囲に対照的な色のマーク、又は図形を含んでもよく、及び／あるいは下部の二次トップシート（２）又は開口部（５）の下部のコア（３）は、開口部（５）を指示するために（更なる）対照的な色を含んでよい。
【００６６】
二次的情報（１１）
本明細書のパッケージ（８）は、二次的情報（１１）を含み、この二次的情報（１１）は、典型的には本明細書の物品（１）の絵（図、又は写真を包含する）若しくは図形、又はその一部を含み、一次有用指標（１０）又はその一部を示し、追加の情報（１１）は、介護人又はユーザに、一次有用指標（１０）の解釈の方法、及び最適な性能のための、物品（１）の正確な適用の方法、即ち、物品と、肛門／生殖器との位置合わせの方法、引張力の適用の方法を伝える。
【００６７】
これは典型的には、２つ以上のこのような絵又は図形、加えて好ましくは記号又は文章を含んで、この情報を伝える。
【００６８】
図５及び６に示されるように、これは典型的には、ユーザ（乳児）が一次有用指標（１０）に対してどのように位置付けられるかを示す絵も含む。
【００６９】
二次的情報は、好ましくは介護人に、
ｉ）吸収性物品（１）を部分的に又は完全に伸張した状態まで引っ張ること、
及び、工程ｉ）の前に、同時に、又は次に、
ｉｉ）物品（１）又は伸張した物品（１）のトップシート（２）上に、正確に位置合わせして乳児又は幼児を配置すること、
及びｉｉ）又はｉ）の次に、
ｉｉｉ）乳児又は幼児の腹部の一部にわたっておむつ（１）の前側領域（２０）を配置し、物品（１）を締結すること、
を伝える。
【００７０】
二次的情報は、好ましくは介護人に、
ｉ）吸収性物品（１）を部分的に又は完全に伸張した状態まで引っ張ること、
及び、工程ｉ）の前に、同時に、又は次に、
ｉｉ）前記物品（１）又は伸張した物品（１）の前記トップシート（２）上に、前記物品上の前記一次有用指標（１０）と正確に位置合わせして、乳児又は幼児を配置すること、
ｉｉ）前記乳児又は幼児の腹部にわたって完全に伸張した状態まで前記物品（１）を更に引っ張ること、
ｉｖ）前記物品（１）を完全に伸張した状態に維持しながら、前記締結要素を閉じること、
を伝える。
【００７１】
二次的情報（１１）は、いかなる手段によってパッケージに含まれてもよく、これは、パッケージの外側表面上、及び／又はパッケージの内側表面上、及び／又は追加の構成要素としてパッケージの外側若しくは内側に、及び／又は、別個の構成要素としてパッケージの内側に取り付けられることを包含し、このような構成要素としては、ホログラムシート、ステッカーなどの情報シート、この情報（１１）を含むＤＶＤ、ＣＤ、ビデオテープなどの電子的構成要素、又は上記の可能性の組み合わせが挙げられる。
【００７２】
二次的情報（１１）が、図５に示されるように、例えばパッケージ（８）の外側表面上に印刷されることによって含まれることが好ましいことがある。更に、又は別の方法として、二次的情報（１１）が、図６に示されるように、パッケージ（８）の内側に含まれる、又はパッケージ（８）に取り付けられるシートに含まれることができることが好ましい場合があり、取り外し可能に取り付けられた、例えばパッケージ８内の挿入カートであってもよい。
【００７３】
別の実施形態では、二次的情報（１１）は、物品（１）のパッケージ（８）に含まれず、介護人又はユーザへの別個の情報構成要素又は品目として、例えば、物品（１）を入手したときに店でユーザ又は介護人に提供される情報シート、電子的情報品目として、提供される。キットはこのとき、本明細書において記載される１つ以上の物品（１）、及び１つ以上の本明細書の物品（１）の購入と共に入手可能な別個の二次的情報構成要素を備える。
【００７４】
各例において、二次的情報（１１）は、物品（１）又はその一部、及び一次有用指標（１０）又はその一部を示す。
【００７５】
「発明を実施するための形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味又は定義が、参照により組み込まれる文献における用語のいずれかの意味又は定義と対立する範囲については、本文書におけるその用語に持たせた意味又は定義を適用するものとする。
【００７６】
本発明の特定の諸実施形態を図示し、記載したが、本発明の趣旨及び範囲から逸脱することなく他の様々な変更及び修正を実施できることは当業者には自明であろう。したがって、本発明の範囲内にあるかような全ての変更及び修正を、添付の特許請求の範囲で扱うものとする。
【図１】
2010506647.tif 000004
【図２】
2010506647.tif 000005
【図３】
2010506647.tif 000006
【図４】
2010506647.tif 000007
【図５】
2010506647.tif 000008
【図６】
2010506647.tif 000009
【国際調査報告】
2010506647.tif 000010
2010506647.tif 000011
2010506647.tif 000012